(57)【要約】【課題】コンテンツが転送された場合であっても、転送先にて安定したコンテンツを出力する。【解決手段】コンテンツ転送装置１００が、コンテンツを出力し、所定の中断操作が行われたことを検知すると、通信端末２００がコンテンツの転送圏内に存在するかどうかを判定し、通信端末２００がコンテンツの転送圏内に存在すると判定した場合、コンテンツのうち、中断操作が行われたことが検知されたときにすでに出力した部分を除いた残りの部分を転送用コンテンツとして生成して通信端末２００へ転送する。【選択図】図１
2014171172.tif 000002
【特許請求の範囲】
【請求項１】
コンテンツを出力する出力部と、
所定の中断操作が行われたことを検知する検知部と、
前記検知部が、前記中断操作が行われたことを検知した場合、通信端末が前記コンテンツの転送圏内に存在するかどうかを判定する判定部と、
前記判定部が、前記通信端末が前記コンテンツの転送圏内に存在すると判定した場合、前記コンテンツのうち、前記中断操作が行われたことが検知されたときに前記出力部がすでに出力した部分を除いた残りの部分を転送用コンテンツとして生成する生成部と、
前記生成部が生成した転送用コンテンツを前記通信端末へ転送する転送部とを有するコンテンツ転送装置。
【請求項２】
請求項１に記載のコンテンツ転送装置において、
利用者を認証する認証部を有し、
前記出力部は、前記認証部が認証に成功した場合、前記コンテンツを出力し、
前記判定部は、前記認証部における認証結果に基づいて、前記利用者が所持する通信端末を特定することを特徴とするコンテンツ転送装置。
【請求項３】
請求項１または請求項２に記載のコンテンツ転送装置において、
利用者の利用者識別情報と該利用者が所持する通信端末の通信端末識別情報とをあらかじめ対応付けて記憶する記憶部を有し、
前記判定部は、前記利用者が所持する通信端末を、前記記憶部に記憶された対応付けから特定することを特徴とするコンテンツ転送装置。
【請求項４】
請求項１から３のいずれか１項に記載のコンテンツ転送装置において、
前記出力部は、前記検知部が、前記中断操作が行われたことを検知した場合、前記コンテンツの出力を停止することを特徴とするコンテンツ転送装置。
【請求項５】
請求項１から４のいずれか１項に記載のコンテンツ転送装置において、
前記判定部は、前記通信端末へ所定の信号を送信し、該送信した信号に対して該通信端末から応答信号が送信されてきた場合、該通信端末が前記コンテンツの転送圏内に存在すると判定することを特徴とするコンテンツ転送装置。
【請求項６】
請求項１から５のいずれか１項に記載のコンテンツ転送装置において、
前記出力部は、当該コンテンツ転送装置が受信したコンテンツを出力することを特徴とするコンテンツ転送装置。
【請求項７】
コンテンツを出力する処理と、
所定の中断操作が行われたことを検知する処理と、
前記中断操作が行われたことを検知した場合、通信端末が前記コンテンツの転送圏内に存在するかどうかを判定する処理と、
前記通信端末が前記コンテンツの転送圏内に存在すると判定した場合、前記コンテンツのうち、前記中断操作が行われたことが検知されたときにすでに出力した部分を除いた残りの部分を転送用コンテンツとして生成する処理と、
前記生成した転送用コンテンツを前記通信端末へ転送する処理とを行うコンテンツ転送方法。
【請求項８】
コンピュータに、
コンテンツを出力する手順と、
所定の中断操作が行われたことを検知する手順と、
前記中断操作が行われたことを検知した場合、通信端末が前記コンテンツの転送圏内に存在するかどうかを判定する手順と、
前記通信端末が前記コンテンツの転送圏内に存在すると判定した場合、前記コンテンツのうち、前記中断操作が行われたことが検知されたときにすでに出力された部分を除いた残りの部分を転送用コンテンツとして生成する手順と、
前記生成した転送用コンテンツを前記通信端末へ転送する手順とを実行させるためにプログラム。
【請求項９】
コンテンツ転送装置と通信端末とを有する通信システムにおいて、
前記コンテンツ転送装置は、
コンテンツを出力する出力部と、
所定の中断操作が行われたことを検知する検知部と、
前記検知部が、前記中断操作が行われたことを検知した場合、前記通信端末が前記コンテンツの転送圏内に存在するかどうかを判定する判定部と、
前記判定部が、前記通信端末が前記コンテンツの転送圏内に存在すると判定した場合、前記コンテンツのうち、前記中断操作が行われたことが検知されたときに前記出力部がすでに出力した部分を除いた残りの部分を転送用コンテンツとして生成する生成部と、
前記生成部が生成した転送用コンテンツを前記通信端末へ転送する転送部とを有し、
前記通信端末は、
前記コンテンツ転送装置から転送されてきた転送用コンテンツを受信する受信部と、
前記受信部が受信した転送用コンテンツを出力する転送用コンテンツ出力部とを有することを特徴とする通信システム。
【請求項１０】
コンテンツを出力するコンテンツ転送装置から送信されてきた、前記コンテンツのうち該コンテンツ転送装置がすでに出力した部分を除いた残りの部分である転送用コンテンツを受信する受信部と、
前記受信部が受信した転送用コンテンツを出力する転送用コンテンツ出力部とを有する通信端末。
【発明の詳細な説明】
【技術分野】
【０００１】
本発明は、通信端末へコンテンツを転送するコンテンツ転送装置、コンテンツ転送方法、プログラム、通信システムおよびその通信端末に関する。
【背景技術】
【０００２】
近年、テレビ放送等で配信されるコンテンツを受信するテレビ受信装置が、受信したコンテンツを視聴する視聴者の位置に応じて、視聴者が所持する携帯端末へ送信する技術が考えられている（例えば、特許文献１参照。）。この技術を用いることで、テレビ受信装置でコンテンツを視聴している視聴者が外出しなければならないこととなった場合、その視聴者は、視聴していたコンテンツの続きの部分から継続して当該コンテンツを携帯端末で視聴することができる。
【先行技術文献】
【特許文献】
【０００３】
【特許文献１】特開２００５−１７５８６２号公報
【発明の概要】
【発明が解決しようとする課題】
【０００４】
上述したような技術においては、コンテンツの送信先の携帯端末が、コンテンツの視聴中に通信圏内から外れてしまうと、携帯端末が安定したコンテンツを出力することができないという問題点がある。
【０００５】
本発明の目的は、上述した課題を解決するコンテンツ転送装置、コンテンツ転送方法、プログラム、通信システムおよび通信端末を提供することである。
【課題を解決するための手段】
【０００６】
本発明のコンテンツ転送装置は、
コンテンツを出力する出力部と、
所定の中断操作が行われたことを検知する検知部と、
前記検知部が、前記中断操作が行われたことを検知した場合、通信端末が前記コンテンツの転送圏内に存在するかどうかを判定する判定部と、
前記判定部が、前記通信端末が前記コンテンツの転送圏内に存在すると判定した場合、前記コンテンツのうち、前記中断操作が行われたことが検知されたときに前記出力部がすでに出力した部分を除いた残りの部分を転送用コンテンツとして生成する生成部と、
前記生成部が生成した転送用コンテンツを前記通信端末へ転送する転送部とを有する。
【０００７】
また、本発明のコンテンツ転送方法は、
コンテンツを出力する処理と、
所定の中断操作が行われたことを検知する処理と、
前記中断操作が行われたことを検知した場合、通信端末が前記コンテンツの転送圏内に存在するかどうかを判定する処理と、
前記通信端末が前記コンテンツの転送圏内に存在すると判定した場合、前記コンテンツのうち、前記中断操作が行われたことが検知されたときにすでに出力した部分を除いた残りの部分を転送用コンテンツとして生成する処理と、
前記生成した転送用コンテンツを前記通信端末へ転送する処理とを行う。
【０００８】
また、本発明のプログラムは、
コンピュータに実行させるためにプログラムであって、
コンテンツを出力する手順と、
所定の中断操作が行われたことを検知する手順と、
前記中断操作が行われたことを検知した場合、通信端末が前記コンテンツの転送圏内に存在するかどうかを判定する手順と、
前記通信端末が前記コンテンツの転送圏内に存在すると判定した場合、前記コンテンツのうち、前記中断操作が行われたことが検知されたときにすでに出力された部分を除いた残りの部分を転送用コンテンツとして生成する手順と、
前記生成した転送用コンテンツを前記通信端末へ転送する手順とを実行させる。
【０００９】
また、本発明の通信システムは、
コンテンツ転送装置と通信端末とを有する通信システムであって、
前記コンテンツ転送装置は、
コンテンツを出力する出力部と、
所定の中断操作が行われたことを検知する検知部と、
前記検知部が、前記中断操作が行われたことを検知した場合、前記通信端末が前記コンテンツの転送圏内に存在するかどうかを判定する判定部と、
前記判定部が、前記通信端末が前記コンテンツの転送圏内に存在すると判定した場合、前記コンテンツのうち、前記中断操作が行われたことが検知されたときに前記出力部がすでに出力した部分を除いた残りの部分を転送用コンテンツとして生成する生成部と、
前記生成部が生成した転送用コンテンツを前記通信端末へ転送する転送部とを有し、
前記通信端末は、
前記コンテンツ転送装置から転送されてきた転送用コンテンツを受信する受信部と、
前記受信部が受信した転送用コンテンツを出力する転送用コンテンツ出力部とを有することを特徴とする。
【００１０】
また、本発明の通信端末は、
コンテンツを出力するコンテンツ転送装置から送信されてきた、前記コンテンツのうち該コンテンツ転送装置がすでに出力した部分を除いた残りの部分である転送用コンテンツを受信する受信部と、
前記受信部が受信した転送用コンテンツを出力する転送用コンテンツ出力部とを有する。
【発明の効果】
【００１１】
以上説明したように、本発明においては、コンテンツが転送された場合であっても、転送先にて安定したコンテンツを出力することができる。
【図面の簡単な説明】
【００１２】
【図１】本発明の通信システムの第１の実施の形態を示す図である。
【図２】図１に示したコンテンツ転送装置の内部構成の一例を示す図である。
【図３】図１に示した通信端末の内部構成の一例を示す図である。
【図４】図１に示した形態におけるコンテンツ転送方法を説明するためのフローチャートである。
【図５】図２に示した生成部における転送用コンテンツの生成方法の一例を図式的に示した図である。
【図６】転送用コンテンツが転送されてきたときの図１に示した通信端末における処理の一例を説明するためのフローチャートである。
【図７】本発明の通信システムの第２の実施の形態を示す図である。
【図８】図７に示したコンテンツ転送装置の内部構成の一例を示す図である。
【図９】図８に示した記憶部に記憶されている利用者特定情報の一例を示す図である。
【図１０】図７に示した形態におけるコンテンツ転送方法を説明するためのフローチャートである。
【図１１】図１０に示したステップＳ２１にて説明した利用者の識別処理の詳細を説明するためのフローチャートである。
【図１２】図８に示した記憶部に記憶された管理情報の一例を示す図である。
【発明を実施するための形態】
【００１３】
以下に、本発明の実施の形態について図面を参照して説明する。
（第１の実施の形態）
図１は、本発明の通信システムの第１の実施の形態を示す図である。
【００１４】
本形態は図１に示すように、コンテンツ転送装置１００と、通信端末２００とを有する。コンテンツ転送装置１００は、通信ネットワーク３００と接続されている。また、通信端末２００は、無線インタフェースを具備する移動通信装置であり、無線通信圏内に存在する場合、通信ネットワーク３００と接続される。通信端末２００は、通信ネットワーク３００と接続されれば、通信ネットワーク３００を介してコンテンツ転送装置１００との間で通信を行うことができる。例えば、コンテンツ転送装置１００が有線ネットワークと接続されており、その有線ネットワークには無線のアクセスポイントが接続されており、そのアクセスポイントが構成する無線ＬＡＮ（Ｌｏｃａｌ  Ａｒｅａ  Ｎｅｔｗｏｒ）に通信端末２００が接続される構成であっても良い。また、図１においては、通信端末２００が１台である場合を例に挙げて示しているが、２台以上であっても良い。
【００１５】
図２は、図１に示したコンテンツ転送装置１００の内部構成の一例を示す図である。
【００１６】
図１に示したコンテンツ転送装置１００には図２に示すように、出力部１１０と、検知部１２０と、判定部１３０と、生成部１４０と、転送部１５０とが設けられている。なお、図２には、図１に示したコンテンツ転送装置１００に設けられた構成要素のうち、本実施の形態に関わる主要な構成要素の一例を示す。
【００１７】
出力部１１０は、コンテンツを出力する。出力部１１０が出力するコンテンツは、テレビ放送等のように、コンテンツ転送装置１００が無線や有線を用いて受信したコンテンツであっても良いし、コンテンツ転送装置１００にあらかじめ格納されているものであっても良い。また、出力部１１０が出力するコンテンツが映像である場合、出力部１１０はディスプレイ等を用いて当該映像を表示する。また、出力部１１０が出力するコンテンツが音声である場合、出力部１１０はスピーカー等を用いて当該音声を出力する。また、出力部１１０が出力するコンテンツが映像および音声である場合、出力部１１０はディスプレイ等を用いて当該映像を表示し、スピーカー等を用いて当該音声を出力する。
【００１８】
検知部１２０は、利用者が所定の中断操作を行ったことを検知する。この中断操作とは、例えば、コンテンツ転送装置１００の出力部１１０からのコンテンツの出力用の電源を切る操作や、コンテンツの再生を停止させる操作等、あらかじめ規定された操作である。
【００１９】
判定部１３０は、中断操作が行われたことを検知部１２０が検知した場合、通信端末２００がコンテンツの転送圏内に存在するかどうかを判定する。この判定方法は、例えば、判定部１３０が通信ネットワーク３００を介して通信端末２００へ所定の信号を送信し、その送信した信号に対して通信端末２００から応答信号が送信されてきた場合、通信端末２００がコンテンツの転送圏内に存在すると判定するものであっても良く、コンテンツ転送装置１００と通信端末２００との間でコンテンツを転送するための通信の可否を判定できるものであれば良い。
【００２０】
生成部１４０は、通信端末２００がコンテンツの転送圏内に存在すると判定部１３０が判定した場合、出力部１１０が出力しているコンテンツのうち、中断操作が行われたことが検知されたときに出力部１１０がすでに出力した部分を除いた残りの部分を転送用コンテンツとして生成する。
【００２１】
転送部１５０は、生成部１４０が生成した転送用コンテンツを、通信ネットワーク３００を介して通信端末２００へ転送（送信）する。
【００２２】
なお、コンテンツ転送装置１００は、利用者が操作する装置に限らない。
【００２３】
図３は、図１に示した通信端末２００の内部構成の一例を示す図である。
【００２４】
図１に示した通信端末２００には図３に示すように、受信部２１０と、転送用コンテンツ出力部２２０とが設けられている。なお、図３には、図１に示した通信端末２００に設けられた構成要素のうち、本実施の形態に関わる主要な構成要素の一例を示す。
【００２５】
受信部２１０は、通信ネットワーク３００から送信されてきた無線信号を受信する。具体的には、受信部２１０は、コンテンツ転送装置１００から通信ネットワーク３００を介して転送されてきた転送用コンテンツを受信する。
【００２６】
転送用コンテンツ出力部２２０は、受信部２１０が受信した転送用コンテンツを出力する。転送用コンテンツ出力部２２０における転送用コンテンツの出力方法は、出力部１１０におけるコンテンツの出力方法と同様の方法である。
【００２７】
なお、通信端末２００は、利用者が所持している端末に限らない。
【００２８】
以下に、図１に示した形態におけるコンテンツ転送方法について説明する。ここでは、コンテンツが映像および音声であり、利用者がそのコンテンツを視聴する場合を例に挙げて説明する。
【００２９】
図４は、図１に示した形態におけるコンテンツ転送方法を説明するためのフローチャートである。ここでの処理の主体は、図１に示したコンテンツ転送装置１００である。
【００３０】
まず、利用者が行う、コンテンツの視聴を開始するための規定の操作を、コンテンツ転送装置１００が受け付けると、出力部１１０はコンテンツの出力を開始する（ステップＳ１）。この規定の操作は、例えば、出力部１１０が出力できるコンテンツのリストを表示し、その表示されたリストの中から利用者が視聴するコンテンツを選ぶ操作であっても良く、ここでは特に規定しない。その後、出力部１１０がコンテンツを出力している途中で、検知部１２０が、利用者が所定の中断操作を行ったことを検知すると（ステップＳ２）、判定部１３０は、利用者が所持する通信端末２００がコンテンツの転送圏内に存在するかどうかを判定する（ステップＳ３）。ここで、判定部１３０が上述したような所定の信号の送受信を用いて判定を行う場合、コンテンツ転送装置１００は通信端末２００を特定する必要がある。この特定方法は、例えば、コンテンツの視聴開始の操作時に、操作を行う利用者に対して当該利用者の通信端末２００を特定する情報（通信端末２００から送信されてくる応答信号に含まれる、通信端末２００固有の情報等）を入力させ、判定部１３０が、入力された情報に基づいて、通信端末２００を特定するものであっても良い。
【００３１】
判定部１３０が、利用者が所持する通信端末２００がコンテンツの転送圏内に存在すると判定した場合、生成部１４０は、通信端末２００へ転送する転送用コンテンツを生成する（ステップＳ４）。この転送用コンテンツは、上述したように、出力部１１０からの出力が開始されているコンテンツのうち、中断操作が行われたことを検知部１２０が検知したときに出力部１１０がすでに出力した部分を除いた残りの部分である。
【００３２】
図５は、図２に示した生成部１４０における転送用コンテンツの生成方法の一例を図式的に示した図である。
【００３３】
図５に示すように、転送用コンテンツは、出力部１１０から出力が開始された１つのコンテンツのうち、出力が開始（時刻ｔ０）されてから中断操作が検知されたとき（時刻ｔ１）までの部分を除いた残りの部分（時刻ｔ１から、中断操作が検知されていなかったら当該コンテンツの出力が完了した時刻ｔ２まで）である。言い換えれば、転送用コンテンツは、中断操作が検知されたときに出力されていた箇所から、当該コンテンツの最後までの部分である。
【００３４】
また、生成部１４０が生成する転送用コンテンツは、通信端末２００にて出力（再生）可能な形式であることは言うまでもない。また、ステップＳ３にて、判定部１３０が、利用者が所持する通信端末２００がコンテンツの転送圏内に存在しないと判定した場合、判定部１３０が、利用者が所持する通信端末２００がコンテンツの転送圏内に存在すると判定するまでステップＳ４の処理は行われない。
【００３５】
生成部１４０が転送用コンテンツを生成すると、生成された転送用コンテンツを転送部１５０が通信ネットワーク３００を介して通信端末２００へ転送（送信）する（ステップＳ５）。
【００３６】
なお、出力部１１０からの出力が開始されているコンテンツがすべて出力されるまでに、ステップＳ２にて、検知部１２０が、利用者が所定の中断操作を行ったことを検知しなければ、転送用コンテンツは生成されずに処理は終了する。また、出力部１１０は、検知部１２０が、中断操作が行われたことを検知した場合、コンテンツの出力を停止する。
【００３７】
図６は、転送用コンテンツが転送されてきたときの図１に示した通信端末２００における処理の一例を説明するためのフローチャートである。
【００３８】
コンテンツ転送装置１００から通信ネットワーク３００を介して送信された転送用コンテンツを受信部２１０が受信すると（ステップＳ１１）、転送用コンテンツ出力部２２０は、当該転送用コンテンツを出力する（ステップＳ１２）。なお、受信部２１０が受信した転送用コンテンツを、通信端末２００に具備されたメモリに記憶しておき、通信端末２００が利用者の所定の操作を受け付けたとき、転送用コンテンツ出力部２２０が、メモリに記憶されている転送用コンテンツを読み出して出力するものであっても良い。この場合、利用者は、所望の時間帯に転送用コンテンツを視聴することができる。
【００３９】
このように、利用者がコンテンツ転送装置１００で視聴していたコンテンツを、コンテンツ転送装置１００で視聴中断した箇所から、利用者が所持している通信端末２００へ転送して出力させることで、利用者は継続してコンテンツの視聴を行うことができる。また、コンテンツ転送装置１００は、出力していない残りの部分から構成される転送用コンテンツを転送するため、転送時間を短くすることができ、通信端末２００におけるコンテンツを記憶しておくメモリの使用領域を少なくすることができる。さらに、通信端末２００がコンテンツ転送装置１００からの転送圏内に存在する場合に、コンテンツ転送装置１００が転送用コンテンツを生成して転送するため、通信端末２００にてコンテンツの安定した取得・出力を行うことができる。
（第２の実施の形態）
図７は、本発明の通信システムの第２の実施の形態を示す図である。
【００４０】
本形態は図７に示すように、コンテンツ転送装置１０１と、通信端末２００とを有する。通信端末２００は、図１に示したものと同じである。コンテンツ転送装置１０１は、通信ネットワーク３００と接続されている。また、図７においては、通信端末２００が１台である場合を例に挙げて示しているが、２台以上であっても良い。
【００４１】
図８は、図７に示したコンテンツ転送装置１０１の内部構成の一例を示す図である。
【００４２】
図７に示したコンテンツ転送装置１０１には図８に示すように、出力部１１１と、検知部１２０と、判定部１３１と、生成部１４０と、転送部１５０と、認証部１６０と、記憶部１７０とが設けられている。なお、図８には、図７に示したコンテンツ転送装置１０１に設けられた構成要素のうち、本実施の形態に関わる主要な構成要素の一例を示す。
【００４３】
認証部１６０は、利用者を認証する。認証部１６０が行う認証処理は、ログインＩＤおよびパスワードを用いたもの、指紋認証や顔認証等の生体認証を用いたもの、または、これらの組み合わせを用いたもの等、利用者を特定して認証できるものであれば良い。認証部１６０がログインＩＤおよびパスワードを用いて利用者の認証を行うものである場合、コンテンツ転送装置１００はこれらの情報を入力するための入力手段（キー等）を具備する。また、認証部１６０が指紋認証を用いて利用者の認証を行うものである場合、コンテンツ転送装置１００は指紋情報を利用者の指から読み取るための指紋情報読み取り手段を具備する。また、認証部１６０が顔認証を用いて利用者の認証を行うものである場合、コンテンツ転送装置１００は利用者の顔を撮影するためのカメラ等の顔情報読み取り手段を具備する。また、認証部１６０は、入力された、または読み取った情報と記憶部１７０に記憶されている情報とに基づいて、利用者を認証する。
【００４４】
記憶部１７０は、利用者の認証や、利用者が所持する通信端末を特定するための利用者特定情報を記憶する。
【００４５】
図９は、図８に示した記憶部１７０に記憶されている利用者特定情報の一例を示す図である。
【００４６】
図８に示した記憶部１７０には図９に示すように、利用者識別情報と、指紋情報と、顔情報と、通信端末識別情報とが対応付けられて記憶されている。これらの情報は記憶部１７０にあらかじめ登録されているものであり、利用者や管理者のコンテンツ転送装置１００への操作で、変更・追加・削除が可能である。
【００４７】
利用者識別情報は、利用者ごとに固有に付与された情報であり、この利用者識別情報を用いることで利用者を識別することができる。利用者識別情報は、例えば、上述したログインＩＤでも良い。指紋情報は、認証部１６０が利用者の認証を行う際に、指紋認証を用いる場合に使用される、利用者の指紋を示す情報である。顔情報は、認証部１６０が利用者の認証を行う際に、顔認証を用いる場合に使用される、利用者の顔を示す情報である。通信端末識別情報は、各利用者がそれぞれ所持する通信端末ごとに固有に付与された情報であり、この通信端末識別情報を用いることで通信端末を識別することができる。また、通信端末識別情報は、通信端末がコンテンツの転送圏内に存在するかどうかを判定部１３１が判定する際に、通信端末を特定するために用いられる情報である。また、通信端末識別情報は、転送部１５０が転送用コンテンツを通信端末へ転送する際に、転送先情報として用いられる情報である。
【００４８】
出力部１１１は、認証部１６０が利用者の認証に成功した場合、コンテンツを出力する。出力部１１１が出力するコンテンツは、第１の実施の形態で説明したものと同じである。また、出力部１１１からのコンテンツの出力方法も、第１の実施の形態で説明したものと同じである。
【００４９】
判定部１３１は、認証部１６０における認証結果に基づいて、利用者を特定する。例えば、図９に示した対応付けが記憶部１７０に記憶されており、認証部１６０における指紋認証の結果、認証が行われた利用者の指紋情報が「指紋１」である場合、判定部１３１は、認証が行われた利用者を利用者識別情報「Ｕｓｅｒ１」が付与された利用者であると特定する。また、判定部１３１は、特定した利用者の利用者識別情報と対応付けられた通信端末識別情報を記憶部１７０から読み出し、読み出した通信端末識別情報を用いて、通信端末２００がコンテンツの転送圏内に存在するかどうかを判定する。この判定のタイミングは、第１の実施の形態で説明したタイミングと同じく、中断操作が行われたことを検知部１２０が検知したときである。また、判定方法は、第１の実施の形態で説明したものと同じで良い。
【００５０】
検知部１２０、生成部１４０および転送部１５０それぞれは、第１の実施の形態におけるものと同じである。
【００５１】
なお、コンテンツ転送装置１０１は、利用者が操作する装置に限らない。
【００５２】
以下に、図７に示した形態におけるコンテンツ転送方法について説明する。ここでは、コンテンツが映像および音声であり、利用者がそのコンテンツを視聴する場合を例に挙げて説明する。
【００５３】
図１０は、図７に示した形態におけるコンテンツ転送方法を説明するためのフローチャートである。ここでの処理の主体は、図７に示したコンテンツ転送装置１０１である。
【００５４】
まず、認証部１６０がコンテンツを視聴する利用者を識別（認証）する処理を行う（ステップＳ２１）。
【００５５】
図１１は、図１０に示したステップＳ２１にて説明した利用者の識別処理の詳細を説明するためのフローチャートである。ここでは、認証部１６０における利用者の識別処理として、指紋認証が用いられる場合を例に挙げて説明する。
【００５６】
まず、認証部１６０が利用者の指紋の情報を読み取ると（ステップＳ２１１）、認証部１６０は、読み取った指紋情報と記憶部１７０に記憶されている指紋情報とを照合する（ステップＳ２１２）。
【００５７】
照合の結果、読み取った指紋情報と一致する指紋情報が記憶部１７０に記憶されていない場合、処理は終了する。
【００５８】
一方、照合の結果、読み取った指紋情報と一致する指紋情報が記憶部１７０に記憶されている場合、認証部１６０は、当該指紋情報と対応付けられた利用者識別情報を読み出すことで、利用者を特定する（ステップＳ２１３）。また、認証部１６０は、読み出した利用者識別情報と対応付けられている通信端末識別情報を記憶部１７０から読み出し、読み出した通信端末識別情報を判定部１３１へ通知する。
【００５９】
利用者が特定された後、利用者が行う、コンテンツの視聴を開始するための規定の操作を、コンテンツ転送装置１０１が受け付けると、出力部１１１はコンテンツの出力を開始する（ステップＳ２２）。この規定の操作は、出力部１１１が出力できるコンテンツのリストを表示し、その表示されたリストの中から利用者が視聴するコンテンツを選ぶ操作であっても良く、ここでは特に規定しない。また、このとき、出力部１１１が出力を開始するコンテンツに固有に付与されたコンテンツ識別情報と、特定された利用者の利用者識別情報とを対応付けて記憶部１７０が記憶して管理するものであっても良い。
【００６０】
その後、出力部１１１がコンテンツを出力している途中で、検知部１２０が、利用者が所定の中断操作を行ったことを検知すると（ステップＳ２３）、判定部１３１は、利用者が所持する通信端末２００がコンテンツの転送圏内に存在するかどうかを判定する（ステップＳ２４）。ここで、判定部１３１が第１の実施の形態において説明した所定の信号の送受信を用いて判定を行う場合、判定部１３１は、認証部１６０から通知された通信端末識別情報を用いて判定を行う。
【００６１】
判定部１３１が、利用者が所持する通信端末２００がコンテンツの転送圏内に存在すると判定した場合、生成部１４０は、通信端末２００へ転送する転送用コンテンツを生成する（ステップＳ２５）。この転送用コンテンツは、上述したように、出力部１１１からの出力が開始されているコンテンツのうち、中断操作が行われたことを検知部１２０が検知したときに出力部１１１がすでに出力した部分を除いた残りの部分である。
【００６２】
また、ステップＳ２４にて、判定部１３１が、利用者が所持する通信端末２００がコンテンツの転送圏内に存在しないと判定した場合、判定部１３１が、利用者が所持する通信端末２００がコンテンツの転送圏内に存在すると判定するまでステップＳ２５の処理は行われない。
【００６３】
生成部１４０が転送用コンテンツを生成すると、生成された転送用コンテンツを転送部１５０が通信ネットワーク３００を介して通信端末２００へ転送（送信）する（ステップＳ２６）。
【００６４】
なお、出力部１１１からの出力が開始されているコンテンツがすべて出力されるまでに、ステップＳ２３にて、検知部１２０が、利用者が所定の中断操作を行ったことを検知しなければ、転送用コンテンツは生成されずに処理は終了する。また、出力部１１１は、検知部１２０が、中断操作が行われたことを検知した場合、コンテンツの出力を停止する。
【００６５】
また、検知部１２０が、利用者が所定の中断操作を行ったことを検知したとき、出力部１１１が出力しているコンテンツのコンテンツ識別情報と、特定された利用者の利用者識別情報と、中断操作を検知したときのコンテンツの箇所（中断位置）とを対応付けて記憶部１７０が管理情報として記憶して管理するものであっても良い。
【００６６】
図１２は、図８に示した記憶部１７０に記憶された管理情報の一例を示す図である。
【００６７】
図８に示した記憶部１７０には図１２に示すように、コンテンツ識別情報と、利用者識別情報と、中断位置情報とが対応付けられて記憶されている。このような対応付けを記憶しておくことで、コンテンツごとに、視聴している利用者と、中断された箇所（時刻等）とを管理することができる。
【００６８】
第２の実施の形態においては、あらかじめ利用者や通信端末の識別情報を登録しておくことで、第１の実施の形態における効果と同様の効果に加えて、利用者が意識することなく、コンテンツ転送装置１０１が視聴途中のコンテンツを利用者が所持する通信端末へ転送を行うことができる。そのため、その都度、転送する操作を利用者が意識することが不要となり、利用者の負担を軽減することができる。
【００６９】
なお、上述した通信端末２００は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機、デジタルカメラ等の電子機器である。
【００７０】
また、上述したコンテンツ転送装置１００，１０１それぞれに設けられた各構成要素が行う処理は、目的に応じてそれぞれ作製された論理回路で行うようにしても良い。また、処理内容を手順として記述したコンピュータプログラム（以下、プログラムと称する）をコンテンツ転送装置１００，１０１それぞれにて読取可能な記録媒体に記録し、この記録媒体に記録されたプログラムをコンテンツ転送装置１００，１０１それぞれに読み込ませ、実行するものであっても良い。コンテンツ転送装置１００，１０１それぞれにて読取可能な記録媒体とは、フロッピー（登録商標）ディスク、光磁気ディスク、ＤＶＤ、ＣＤなどの移設可能な記録媒体の他、コンテンツ転送装置１００，１０１それぞれに内蔵されたＲＯＭ、ＲＡＭ等のメモリやＨＤＤ等を指す。この記録媒体に記録されたプログラムは、コンテンツ転送装置１００，１０１それぞれに設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００７１】
上記の実施の形態の一部または全部は、以下の付記のようにも記載され得るが、以下には限られない。
（付記１）コンテンツを出力する出力部と、
所定の中断操作が行われたことを検知する検知部と、
前記検知部が、前記中断操作が行われたことを検知した場合、通信端末が前記コンテンツの転送圏内に存在するかどうかを判定する判定部と、
前記判定部が、前記通信端末が前記コンテンツの転送圏内に存在すると判定した場合、前記コンテンツのうち、前記中断操作が行われたことが検知されたときに前記出力部がすでに出力した部分を除いた残りの部分を転送用コンテンツとして生成する生成部と、
前記生成部が生成した転送用コンテンツを前記通信端末へ転送する転送部とを有するコンテンツ転送装置。
（付記２）利用者を認証する認証部を有し、
前記出力部は、前記認証部が認証に成功した場合、前記コンテンツを出力し、
前記判定部は、前記認証部における認証結果に基づいて、前記利用者が所持する通信端末を特定することを特徴とする、付記１に記載のコンテンツ転送装置。
（付記３）利用者の利用者識別情報と該利用者が所持する通信端末の通信端末識別情報とをあらかじめ対応付けて記憶する記憶部を有し、
前記判定部は、前記利用者が所持する通信端末を、前記記憶部に記憶された対応付けから特定することを特徴とする、付記１または付記２に記載のコンテンツ転送装置。
（付記４）前記出力部は、前記検知部が、前記中断操作が行われたことを検知した場合、前記コンテンツの出力を停止することを特徴とする、付記１から３のいずれか１項に記載のコンテンツ転送装置。
（付記５）前記判定部は、前記通信端末へ所定の信号を送信し、該送信した信号に対して該通信端末から応答信号が送信されてきた場合、該通信端末が前記コンテンツの転送圏内に存在すると判定することを特徴とする、付記１から４のいずれか１項に記載のコンテンツ転送装置。
（付記６）前記出力部は、当該コンテンツ転送装置が受信したコンテンツを出力することを特徴とする、付記１から５のいずれか１項に記載のコンテンツ転送装置。
（付記７）コンテンツを出力する処理と、
所定の中断操作が行われたことを検知する処理と、
前記中断操作が行われたことを検知した場合、通信端末が前記コンテンツの転送圏内に存在するかどうかを判定する処理と、
前記通信端末が前記コンテンツの転送圏内に存在すると判定した場合、前記コンテンツのうち、前記中断操作が行われたことが検知されたときにすでに出力した部分を除いた残りの部分を転送用コンテンツとして生成する処理と、
前記生成した転送用コンテンツを前記通信端末へ転送する処理とを行うコンテンツ転送方法。
（付記８）コンピュータに、
コンテンツを出力する手順と、
所定の中断操作が行われたことを検知する手順と、
前記中断操作が行われたことを検知した場合、通信端末が前記コンテンツの転送圏内に存在するかどうかを判定する手順と、
前記通信端末が前記コンテンツの転送圏内に存在すると判定した場合、前記コンテンツのうち、前記中断操作が行われたことが検知されたときにすでに出力された部分を除いた残りの部分を転送用コンテンツとして生成する手順と、
前記生成した転送用コンテンツを前記通信端末へ転送する手順とを実行させるためにプログラム。
（付記９）コンテンツ転送装置と通信端末とを有する通信システムにおいて、
前記コンテンツ転送装置は、
コンテンツを出力する出力部と、
所定の中断操作が行われたことを検知する検知部と、
前記検知部が、前記中断操作が行われたことを検知した場合、前記通信端末が前記コンテンツの転送圏内に存在するかどうかを判定する判定部と、
前記判定部が、前記通信端末が前記コンテンツの転送圏内に存在すると判定した場合、前記コンテンツのうち、前記中断操作が行われたことが検知されたときに前記出力部がすでに出力した部分を除いた残りの部分を転送用コンテンツとして生成する生成部と、
前記生成部が生成した転送用コンテンツを前記通信端末へ転送する転送部とを有し、
前記通信端末は、
前記コンテンツ転送装置から転送されてきた転送用コンテンツを受信する受信部と、
前記受信部が受信した転送用コンテンツを出力する転送用コンテンツ出力部とを有することを特徴とする通信システム。
（付記１０）コンテンツを出力するコンテンツ転送装置から送信されてきた、前記コンテンツのうち該コンテンツ転送装置がすでに出力した部分を除いた残りの部分である転送用コンテンツを受信する受信部と、
前記受信部が受信した転送用コンテンツを出力する転送用コンテンツ出力部とを有する通信端末。
【符号の説明】
【００７２】
１００，１０１    コンテンツ転送装置
１１０，１１１    出力部
１２０    検知部
１３０，１３１    判定部
１４０    生成部
１５０    転送部
１６０    認証部
１７０    記憶部
２００    通信端末
２１０    受信部
２２０    転送用コンテンツ出力部
３００    通信ネットワーク
【図１】
2014171172.tif 000003
【図２】
2014171172.tif 000004
【図３】
2014171172.tif 000005
【図４】
2014171172.tif 000006
【図５】
2014171172.tif 000007
【図６】
2014171172.tif 000008
【図７】
2014171172.tif 000009
【図８】
2014171172.tif 000010
【図９】
2014171172.tif 000011
【図１０】
2014171172.tif 000012
【図１１】
2014171172.tif 000013
【図１２】
2014171172.tif 000014